(57)【要約】【課題】ヘッドガードユニットそのものを背凭れ部から取り外し可能とし、取り扱い性及び意匠性を向上する。【解決手段】ヘッドガードユニット２０は、ヘッドガード２２の支持脚２２Ｃを上下方向にスライド可能に支持する前方側支持部材２６と後方側支持部材２８とを備えている。子供用座席装置本体１２の背凭れ部１２Ｂには左右一対の貫通孔３４と貫通孔３７が形成されている。取付部材４０のフック部４０Ａが前方側支持部材２６の上端部２６Ａに係止された状態で、取付部材４０の挟込部４０Ｂが背凭れ部１２Ｂの上端部１３Ｃを跨いで前面部１３Ａから前方側支持部材２６との間で背凭れ部１２Ｂを挟み込む。取付部材４０の前方側からボルト４２を背凭れ部１２Ｂの貫通孔３４に挿通させ前方側支持部材２６の後方側のナット４４に締結固定する。これにより、ヘッドガードユニット２０を背凭れ部１２Ｂに強固に固定することができる。【選択図】図１６
2011084208.tif 000002
【特許請求の範囲】
【請求項１】
子供が着座可能な座席本体に設けられた背凭れ部の背面側に、頭部を保護するヘッドガードと前記ヘッドガードを上下方向にスライドさせて固定する高さ調整手段とを備えたヘッドガードユニットが、前記高さ調整手段ごと着脱可能に取り付けられているヘッドガードユニット着脱機構。
【請求項２】
子供が着座可能な座席本体に設けられた背凭れ部の背面側に着脱可能に装着され、頭部を保護するヘッドガードと前記ヘッドガードを上下方向にスライドさせて固定する高さ調整手段とを備えたヘッドガードユニットと、
前記背凭れ部の上端部を跨いで前面側へ延びて前記ヘッドガードユニットとの間で前記背凭れ部を挟み込む取付部材と、
前記背凭れ部に形成された貫通孔に挿通され、前記取付部材と前記ヘッドガードユニットとを前記背凭れ部に固定する固定手段と、
を有するヘッドガードユニット着脱機構。
【請求項３】
前記ヘッドガードユニットに設けられた被係止部と、
前記取付部材に形成され、前記取付部材が前記背凭れ部の上端部を跨いで装着されたときに前記被係止部に係止される係止部と、
を有する請求項２に記載のヘッドガードユニット着脱機構。
【請求項４】
前記取付部材が前記ヘッドガードユニットと一体成形された請求項２に記載のヘッドガードユニット着脱機構。
【請求項５】
前記固定手段は、前記貫通孔へ挿入されて前記取付部材と前記ヘッドガードユニットをねじ止めする構成とされている請求項２から請求項４までのいずれか１項に記載のヘッドガードユニット着脱機構。
【請求項６】
前記高さ調整手段は、前記ヘッドガードの下部に延設された脚部を上下方向にスライド可能に支持する支持部材と、前記脚部を所定の高さで前記支持部材に保持する保持手段と、を備える請求項２に記載のヘッドガードユニット着脱機構。
【請求項７】
前記ヘッドガードユニット及び前記取付部材を前記背凭れ部から取り外したときに、前記貫通孔を塞ぐキャップが取り付けられる請求項２から請求項６までのいずれか１項に記載のヘッドガードユニット着脱機構。
【請求項８】
請求項１から請求項７までのいずれか１項に記載のヘッドガードユニット着脱機構を備えた子供用座席装置。
【請求項９】
二輪車本体に請求項８に記載の子供用座席装置が取り付けられている二輪車。
【発明の詳細な説明】
【技術分野】
【０００１】
本発明は、ヘッドガードユニット着脱機構、このヘッドガードユニット着脱機構を備えた子供用座席装置及び二輪車に関する。
【背景技術】
【０００２】
従来、自転車等に取り付けられる子供用座席装置では、ヘッドレストを所定の高さにスライドさせて固定する高さ調整装置を備えたものが知られている。
【０００３】
下記特許文献１には、子供用座席本体に設けられた背凭れ部の背面部に後方側に突出する保持筒部を設け、ヘッドレストの下部に設けられた支持脚を保持筒部に挿入し、保持筒部に取り付けられた係合突起を支持脚の凹凸列に係合させて締結具を用いてヘッドレストを所定の高さで保持筒部に固定した構成が開示されている。
【０００４】
下記特許文献２には、子供用座席本体に設けられた背凭れ部の背面部に後方側に突出する軸受部と、この軸受部の下方側に背凭れ部と一体に形成された一対のクランプ片とを設け、ヘッドレストの下部に設けられたガイド軸を軸受部に挿通し、ガイド軸を所定の高さで一対のクランプ片で挟持してネジ締結具で固定した構成が開示されている。
【先行技術文献】
【特許文献】
【０００５】
【特許文献１】特開２００７−１２５９９０号公報
【特許文献２】実用新案登録第３０５８８４２号公報
【発明の概要】
【発明が解決しようとする課題】
【０００６】
上記特許文献１では、ヘッドレストを必要としない場合、ヘッドレストを背凭れ部から取り外すことができるが、背凭れ部の背面部と一体に後方側に突出する保持筒部が設けられており、保持筒部が背凭れ部の背面部に残されたままとなる。このため、保持筒部が邪魔になり、子供用座席装置の取り扱い性及び意匠性を低下させる。
【０００７】
また、上記特許文献２でも同様に、背凭れ部の背面部と一体に後方側に突出する軸受部と一対のクランプ片とが設けられており、ヘッドレストを背凭れ部から取り外すと、軸受部と一対のクランプ片とが背凭れ部の背面部に残されたままとなる。このため、軸受部と一対のクランプ片が邪魔になり、子供用座席装置の取り扱い性及び意匠性を低下させる。
【０００８】
一方、ヘッドレストを取り付けない仕様で保持筒部、又は軸受部と一対のクランプ片を設けない構成とすると、ヘッドレストを取り付ける仕様と取り付けない仕様で子供用座席本体の製造時に別の金型が必要となり、製造コストが上昇する。
【０００９】
本発明は、上記問題点に鑑みてなされたものであり、ヘッドガードユニットそのものを背凭れ部から取り外し可能とし、取り扱い性及び意匠性を向上するヘッドガードユニット着脱機構、子供用座席装置及び二輪車を提供することを目的とする。
【課題を解決するための手段】
【００１０】
上記課題を解決するために、請求項１に記載の発明に係るヘッドガードユニット着脱機構は、子供が着座可能な座席本体に設けられた背凭れ部の背面側に、頭部を保護するヘッドガードと前記ヘッドガードを上下方向にスライドさせて固定する高さ調整手段とを備えたヘッドガードユニットが、前記高さ調整手段ごと着脱可能に取り付けられているものである。
【００１１】
請求項１に記載の発明によれば、背凭れ部の背面側に、ヘッドガードを上下方向にスライドさせて固定する高さ調整手段を備えたヘッドガードユニットが高さ調整手段ごと着脱可能に取り付けられており、高さ調整手段を備えたヘッドガードユニットそのものを背凭れ部から取り外すことができる。このため、ヘッドガードユニットを取り付ける仕様と取り付けない仕様で同じ座席本体を用いることができ、製造コストの上昇を抑えることができる。また、ヘッドガードユニットを取り外したとき、背凭れ部に高さ調整手段の部品が残らない構成とすることができ、座席本体の取り扱い性及び意匠性が向上する。
【００１２】
上記課題を解決するために、請求項２に記載の発明に係るヘッドガードユニット着脱機構は、子供が着座可能な座席本体に設けられた背凭れ部の背面側に着脱可能に装着され、頭部を保護するヘッドガードと前記ヘッドガードを上下方向にスライドさせて固定する高さ調整手段とを備えたヘッドガードユニットと、前記背凭れ部の上端部を跨いで前面側へ延びて前記ヘッドガードユニットとの間で前記背凭れ部を挟み込む取付部材と、前記背凭れ部に形成された貫通孔に挿通され、前記取付部材と前記ヘッドガードユニットとを前記背凭れ部に固定する固定手段と、を有している。
【００１３】
請求項２に記載の発明によれば、座席本体に設けられた背凭れ部の背面側に、ヘッドガードを上下方向にスライドさせて固定する高さ調整手段を備えたヘッドガードユニットが配置され、取付部材が背凭れ部の上端部を跨いで前面側へ延びてヘッドガードユニットとの間で背凭れ部を挟み込む。背凭れ部に形成された貫通孔に固定手段を挿通させ、取付部材とヘッドガードユニットとを背凭れ部に固定することで、ヘッドガードユニットが背凭れ部の背面側に着脱可能に装着される。このヘッドガードユニット着脱機構では、高さ調整手段を備えたヘッドガードユニットを背凭れ部から取り外したときに、取付部材を一緒に取り外すことができ、取付部材が背凭れ部に残ることがない。背凭れ部には貫通孔が形成されているだけであるため、ヘッドガードユニットを取り付ける仕様と取り付けない仕様で同じ座席本体を用いることができ、製造コストの上昇を抑えることができる。また、背凭れ部には貫通孔が形成されているだけであるため、座席本体の取り扱い性及び意匠性が向上する。
【００１４】
請求項３に記載の発明は、請求項２に記載のヘッドガードユニット着脱機構において、前記ヘッドガードユニットに設けられた被係止部と、前記取付部材に形成され、前記取付部材が前記背凭れ部の上端部を跨いで装着されたときに前記被係止部に係止される係止部と、を有している。
【００１５】
請求項３に記載の発明によれば、取付部材が背凭れ部の上端部を跨いで装着されたときに、取付部材に形成された係止部がヘッドガードユニットの被係止部に係止される。これによって、取付部材の係止部がヘッドガードユニットの被係止部に係止された状態で、背凭れ部の前面側へ延びた取付部材とヘッドガードユニットとの間で背凭れ部を挟み込むことができ、ヘッドガードユニットを背凭れ部に安定して取り付けることができる。
【００１６】
請求項４に記載の発明は、請求項２に記載のヘッドガードユニット着脱機構において、前記取付部材が前記ヘッドガードユニットと一体成形されたものである。
【００１７】
請求項４に記載の発明によれば、取付部材がヘッドガードユニットと一体成形されており、背凭れ部の上端部に取付部材を上方から差し込むことにより、背凭れ部の前面側へ延びた取付部材とヘッドガードユニットとの間で背凭れ部が挟み込まれる。このため、ヘッドガードユニットを背凭れ部に容易に取り付けることができ、作業性が向上する。
【００１８】
請求項５に記載の発明は、請求項２から請求項４までのいずれか１項に記載のヘッドガードユニット着脱機構において、前記固定手段は、前記貫通孔へ挿入され、前記取付部材と前記ヘッドガードユニットの両側からねじ止めする構成とされている。
【００１９】
請求項５に記載の発明によれば、背凭れ部の貫通孔へ挿入して取付部材とヘッドガードユニットの両側からねじ止めすることにより、取付部材とヘッドガードユニットが背凭れ部に固定されている。このため、ヘッドガードユニットが強固に固定されると共に、ヘッドガードユニットの着脱作業が容易となる。
【００２０】
請求項６に記載の発明は、請求項２に記載のヘッドガードユニット着脱機構において、前記高さ調整手段は、前記ヘッドガードの下部に延設された脚部を上下方向にスライド可能に支持する支持部材と、前記脚部を所定の高さで前記支持部材に保持する保持手段と、を備えるものである。
【００２１】
請求項６に記載の発明によれば、ヘッドガードの下部に延設された脚部を支持部材によって上下方向にスライド可能に支持し、保持手段により脚部を所定の高さで支持部材に保持する。このため、簡易な構成により支持部材及び保持手段をヘッドガードユニットと一体として背凭れ部から取り外すことができる。
【００２２】
請求項７に記載の発明は、請求項２から請求項６までのいずれか１項に記載のヘッドガードユニット着脱機構において、前記ヘッドガードユニット及び前記取付部材を前記背凭れ部から取り外したときに、前記貫通孔を塞ぐキャップが取り付けられるものである。
【００２３】
請求項７に記載の発明によれば、ヘッドガードユニット及び取付部材を背凭れ部から取り外したときに、背凭れ部の貫通孔を塞ぐキャップが取り付けられており、座席本体の取り扱い性及び意匠性がさらに向上する。
【００２４】
請求項８に記載の発明に係る子供用座席装置は、請求項１から請求項７までのいずれか１項に記載のヘッドガードユニット着脱機構を備えるものである。
【００２５】
請求項８に記載の発明によれば、請求項１から請求項７までのいずれか１項に記載のヘッドガードユニット着脱機構を備えており、ヘッドガードユニットを取り付ける仕様と取り付けない仕様で同じ座席本体を用いることができ、製造コストの上昇を抑えることができる。また、ヘッドガードユニットを取り外したとき、背凭れ部には取付部材等が残らないため、座席本体の取り扱い性及び意匠性が向上する。
【００２６】
請求項９に記載の発明に係る二輪車は、二輪車本体に請求項８に記載の子供用座席装置が取り付けられているものである。
【００２７】
請求項９に記載の発明によれば、二輪車本体に請求項８に記載の子供用座席装置が取り付けられており、ヘッドガードユニットを取り付ける仕様と取り付けない仕様で同じ座席本体を用いることができ、製造コストの上昇を抑えることができる。また、ヘッドガードユニットを取り外したとき、背凭れ部には取付部材等が残らないため、座席本体の取り扱い性及び意匠性が向上する。
【発明の効果】
【００２８】
本発明によれば、ヘッドガードユニットそのものを背凭れ部から取り外すことができ、座席本体の取り扱い性及び意匠性が向上する。
【図面の簡単な説明】
【００２９】
【図１】本発明の第１実施形態であるヘッドガードユニット着脱機構を備えた子供用座席装置を示す斜視図である。
【図２】本発明の第１実施形態であるヘッドガードユニット着脱機構を備えた子供用座席装置を示す背面図である。
【図３】本発明の第１実施形態であるヘッドガードユニット着脱機構を備えた子供用座席装置を示す側面図である。
【図４Ａ】子供用座席装置の背凭れ部からヘッドガードユニットを取り外した状態を前方側から見た斜視図である。
【図４Ｂ】子供用座席装置の背凭れ部からヘッドガードユニットを取り外した状態を後方側から見た斜視図である。
【図５】子供用座席装置の背凭れ部からヘッドガードユニットを取り外した状態を示す側面図である。
【図６】ヘッドガードユニットに用いられるヘッドガードを示す斜視図である。
【図７】ヘッドガードユニットに用いられるヘッドガードと、前方側支持部材と、後方側支持部材を示す平面図である。
【図８】ヘッドガードユニットの組付け状態を前方側から見た斜視図である。
【図９】ヘッドガードユニットの組付け状態を後方側から見た斜視図である。
【図１０Ａ】取付部材単体を示す斜視図である。
【図１０Ｂ】取付部材単体を示す側面図である。
【図１１】ヘッドガードユニットを背凭れ部に取り付ける過程を示す斜視図である。
【図１２】ヘッドガードユニットを背凭れ部に取り付ける過程を示す斜視図である。
【図１３】ヘッドガードユニットを背凭れ部に取り付ける過程を示す斜視図である。
【図１４】ヘッドガードユニットを背凭れ部に取り付けた状態を前方側から見た斜視図である。
【図１５】ヘッドガードユニットを背凭れ部に取り付けた状態を後方側から見た斜視図である。
【図１６】ヘッドガードユニットを背凭れ部に取り付けた状態を示す断面図である。
【図１７】ヘッドガードの高さ調整装置を示す構成図である。
【図１８】ヘッドガードの高さ調整装置の操作過程を示す構成図である。
【発明を実施するための形態】
【００３０】
以下、図１〜図１８を用いて、本発明の一実施形態であるヘッドガードユニット着脱機構を備えた子供用座席装置について説明する。
【００３１】
図１には、本発明の一実施形態であるヘッドガードユニット着脱機構を備えた子供用座席装置が斜視図にて示されている。また、図２には子供用座席装置が背面図にて示されており、図３には子供用座席装置が側面図にて示されている。これらの図に示されるように、子供用座席装置１０は、二輪車の後方側の荷台に取り付けられる子供用座席装置本体１２（座席本体）を備えている。子供用座席装置本体１２は、子供が着席可能な座部１２Ａと、この座部１２Ａの後端部から上方側に起立するように延びた背凭れ部１２Ｂと、を備えている。背凭れ部１２Ｂは、座部１２Ａに着席した子供の背中を支持するように両サイドが前方側に突出した湾曲形状に形成されている。座部１２Ａの両サイドには、座部１２Ａから垂下されて子供の左右の足を載せるステップ１４が設けられている。ステップ１４の下部には、幅方向外側にほぼ水平に突出された突出部１４Ａが設けられており、突出部１４Ａに子供の左右の足がそれぞれ載置される。座部１２Ａの前端部には、子供の前方側をガードするループ状のハンドル部１６が立設されている。ハンドル部１６を設けることで、座部１２Ａに子供が着座したときにハンドル部１６を握って自身の身体を支えることができ、子供に安心感を与えることができる。なお、子供用座席装置１０は、二輪車の前方側のハンドル部に取り付けてもよい。
【００３２】
子供用座席装置本体１２の背凭れ部１２Ｂの上部には、座部１２Ａに着席した子供の頭部を保護するヘッドガード２２を備えたヘッドガードユニット２０が設けられている。ヘッドガードユニット２０には、ヘッドガード２２を背凭れ部１２Ｂに沿って上下方向にスライドさせて所定の位置で固定する高さ調整装置２４が設けられている。図１及び図６に示されるように、ヘッドガード２２は、座部１２Ａに着席した子供の後頭部と対向する後壁部２２Ａと、後壁部２２Ａから子供の側頭部に沿って両サイド側に湾曲するように延びた翼部２２Ｂと、後壁部２２Ａの中央部から下方側に延びた支持脚２２Ｃと、を備えている。
【００３３】
図７〜図９に示されるように、高さ調整装置２４は、支持脚２２Ｃの前面及び側面を囲むように配設される前方側支持部材２６と、支持脚２２Ｃの背面及び下部側の周囲を囲むように配設される後方側支持部材２８と、支持脚２２Ｃを所定のスライド高さで保持する保持手段５０と、を備えている。前方側支持部材２６は、背凭れ部１２Ｂの背面部１３Ｂに当接するように後述する取付部材４０（図１参照）等により取り付けられている。
【００３４】
後方側支持部材２８の下部には、側壁部２８Ａから前方側に延設された筒状部２８Ｂを備えており、筒状部２８Ｂの開口２９に支持脚２２Ｃが挿通されている。後方側支持部材２８の筒状部２８Ｂは前方側支持部材２６の下方側に連結され、前方側支持部材２６と後方側支持部材２８とで支持脚２２Ｃの周囲を囲むように配置される。前方側支持部材２６と後方側支持部材２８とは、後方側支持部材２８の４箇所の角部でボルト７０により締結固定されている（図９参照）。支持脚２２Ｃの前面部には、上下方向に溝部３０が形成されており、前方側支持部材２６の背面部に突設されたガイド部３２が溝部３０に挿入され、支持脚２２Ｃがガイド部３２に沿って上下方向にスライド可能となっている。支持脚２２Ｃを所定の高さで保持する保持手段５０については、後に詳述する。
【００３５】
図１〜図５に示されるように、子供用座席装置本体１２の背凭れ部１２Ｂには、高さ調整装置２４を備えたヘッドガードユニット２０が着脱可能に取り付けられている。図４及び図５には、子供用座席装置本体１２の背凭れ部１２Ｂからヘッドガードユニット２０を取り外した状態が示されている。背凭れ部１２Ｂの上端部には、ヘッドガードユニット２０を取り付けるための左右一対の円形の貫通孔３４が設けられている。また、図１１に示されるように、背凭れ部１２Ｂの前面部１３Ａには、左右一対の貫通孔３４より下方側に、背凭れ部１２Ｂの前方側に突出した段差部３５が逆Ｕ字状に設けられている。段差部３５には、左右一対の貫通孔３４の下方側に左右一対の凹部３６が設けられており、凹部３６にはヘッドガードユニット２０を取り付けるための貫通孔３７が形成されている。背凭れ部１２Ｂには、左右一対の貫通孔３４及び貫通孔３７の他にヘッドガードユニット２０を取り付けるための特別な部材は設けられていない。
【００３６】
なお、図１及び図４Ａに示されるように、子供用座席装置本体１２の内側には、背凭れ部１２Ｂの角度を調整するための背凭れ板７２を設置することができる。本実施形態では、この背凭れ板７２によって貫通孔３７が隠れる構成となっている。また、座部１２Ａにはクッションマットが敷かれている。
【００３７】
図１に示されるように、背凭れ部１２Ｂの前面部１３Ａには、ヘッドガードユニット２０を取り付けるための取付部材４０が配設されている。図１０及び図１６に示されるように、取付部材４０は、前方側支持部材２６の上端部２６Ａ（被係止部）に係止される係止部としてのフック部４０Ａと、フック部４０Ａが前方側支持部材２６の上端部２６Ａに係止された状態で背凭れ部１２Ｂの上端部１３Ｃを跨いで前面部１３Ａ側へ延びて前方側支持部材２６との間で背凭れ部１２Ｂを挟み込む挟込部４０Ｂと、を備えている。フック部４０Ａは、前方側支持部材２６のガイド部３２と干渉しない位置に左右一対設けられている。挟込部４０Ｂの背面には、フック部４０Ａが前方側支持部材２６の上端部２６Ａに係止された状態で背凭れ部１２Ｂの貫通孔３４に嵌まり込む円形の突出部４０Ｃが設けられており、突出部４０Ｃには円形のボルト挿通孔４０Ｄが形成されている。
【００３８】
図１６に示されるように、前方側支持部材２６の上端部２６Ａの背面（図１６では右側）には、背凭れ部１２Ｂの貫通孔３４と合致する位置にナット４４が回転不能に挿入される凹部２６Ｂが設けられており、凹部２６Ｂの中心部にはボルト挿通孔２６Ｃが設けられている。後方側支持部材２８の筒状部２８Ｂの内側には、背凭れ部１２Ｂの貫通孔３７と合致する位置にナット４４が挿入される凹部２８Ｃが設けられており、凹部２８Ｃの中心部にはボルト挿通孔２８Ｄが設けられている。
【００３９】
取付部材４０の挟込部４０Ｂの前方側からボルト４２をボルト挿通孔４０Ｄ及びボルト挿通孔２６Ｃに挿通し、前方側支持部材２６の凹部２６Ｂに固着されたナット４４に締結することで、前方側支持部材２６が背凭れ部１２Ｂに固定されている。同様に、背凭れ部１２Ｂの前方側からボルト４２を貫通孔３７及びボルト挿通孔２８Ｄに挿通し、後方側支持部材２８の筒状部２８Ｂの凹部２８Ｃに固着されたナット４４に締結することで、後方側支持部材２８の筒状部２８Ｂが背凭れ部１２Ｂに固定されている。
【００４０】
図７、図１７及び図１８に示されるように、支持脚２２Ｃを所定の高さで保持する保持手段５０は、支持脚２２Ｃの一方の側壁部５２（図７中の左側の側壁部５２）の幅方向内側に上下方向に沿って形成された複数の係合凹部５４と、側壁部５２に上下方向に沿って形成された長孔５３に軸方向に移動可能に支持された移動ピン５６と、を備えている。移動ピン５６の側壁部５２よりも幅方向外側の先端には、円柱状の摘み部５８が固着されている。移動ピン５６の中間部には、係合凹部５４に係合される凸部６０Ａを備えたブロック片６０が固着されている。移動ピン５６のブロック片６０より端部側（摘み部５８と反対側の端部）にはコイルばね６２が巻回されており、コイルばね６２の一端がブロック片６０に接触している。コイルばね６２の他端は、移動ピン５６が軸方向に移動可能な孔部を備えた当接片６４に接触しており、当接片６４は、支持脚２２Ｃの背面に突設されたガイド部６６に接触している。支持脚２２Ｃは、ガイド部６６が当接片６４に接触した状態で上下方向にスライド可能となっている。コイルばね６２は、当接片６４がガイド部６６に接触した状態で、ブロック片６０を側壁部５２の方向に付勢しており、コイルばね６２の力によりブロック片６０の凸部６０Ａが係合凹部５４に係合される。なお、本実施形態では、保持手段５０は支持脚２２Ｃの一方の側壁部５２に設けられているが、保持手段５０は支持脚２２Ｃの両側の側壁部５２に設けても構わない。
【００４１】
前方側支持部材２６の側壁部２６Ｄと後方側支持部材２８の側壁部２８Ａに跨った位置には摘み部５８が挿通される孔部６８Ａ、６８Ｂが設けられている（図７及び図８参照）。コイルばね６２の力により、ブロック片６０の凸部６０Ａが任意の係合凹部５４に係合された状態で摘み部５８が前方側支持部材２６及び後方側支持部材２８の孔部６８Ａ、６８Ｂに挿通されることで、支持脚２２Ｃが前方側支持部材２６及び後方側支持部材２８に対して所定の高さで保持されるようになっている。支持脚２２Ｃが所定の高さで保持されることで、子供の成長や、異なる身長の子供の体格に合わせてヘッドガード２２を適切な高さに調整することができる。
【００４２】
係合凹部５４は、上面部が支持脚２２Ｃの側壁部５２と直交する方向に形成され、上面部の下側に深さが徐々に浅くなるテーパー部が形成されている。このような高さ調整装置２４では、ヘッドガード２２の高さを上げるときは、単にヘッドガード２２を引き上げればよい。ヘッドガード２２を引き上げることで、係合凹部５４のテーパー部が上方に移動してブロック片６０のコイルばね６２を圧縮させ、下側の係合凹部５４がブロック片６０の位置に移動したときに、コイルばね６２の力により当該係合凹部５４にブロック片６０の凸部６０Ａが係合される。この繰り返しにより、ブロック片６０の凸部６０Ａが支持脚２２Ｃの最下部の係合凹部５４に係合される位置までヘッドガード２２を引き上げることができる。支持脚２２Ｃの最下部の係合凹部５４には、ブロック片６０の下部が係合されるストッパ５５が設けられている。これによって、操作者が支持脚２２Ｃの下端部を持ってヘッドガード２２を抜き方向に引き上げていっても、支持脚２２Ｃの下端部をつかんでいる手指が高さ調整装置２４に挟み込まれないような位置でブロック片６０の下部がストッパ５５と係合し、不用意に最下部の係合凹部５４より先に支持脚２２Ｃが動かないようになっている。ただし、摘み部５８を側壁部５２側に押し込みながらヘッドガード２２を引き上げると最下部の係合凹部５４よりさらに１段移動することが可能となる。
【００４３】
また、ヘッドガード２２の高さを下げるときは、図１８に示されるように、操作者が親指等で摘み部５８を側壁部５２側に押し込みながらヘッドガード２２を下げることで、ヘッドガード２２の高さが調整可能である。すなわち、摘み部５８を側壁部５２側に押し込むことで、コイルばね６２が圧縮されてブロック片６０の凸部６０Ａと係合凹部５４との係合が外れ、ヘッドガード２２を下げることができる。
【００４４】
次に、本実施形態の子供用座席装置１０の作用であって、ヘッドガードユニット２０の着脱機構について説明する。
【００４５】
図１１及び図１２に示されるように、背凭れ部１２Ｂの背面部１３Ｂにヘッドガードユニット２０の前方側支持部材２６を接触させるように配置して、背凭れ部１２Ｂの左右一対の貫通孔３４と前方側支持部材２６の左右一対のボルト挿通孔２６Ｃとを合致させる。図１３に示されるように、取付部材４０のフック部４０Ａを前方側支持部材２６の上端部２６Ａに係止させ、取付部材４０の挟込部４０Ｂを背凭れ部１２Ｂの上端部１３Ｃを跨いで前面部１３Ａ側へ当接させることで、挟込部４０Ｂと前方側支持部材２６との間で背凭れ部１２Ｂを挟み込む（図１６参照）。取付部材４０の挟込部４０Ｂを背凭れ部１２Ｂの前面部１３Ａ側へ当接させるときに、取付部材４０の左右一対の突出部４０Ｃを背凭れ部１２Ｂの貫通孔３４にそれぞれ嵌め込む。
【００４６】
そして、図１４及び図１６に示されるように、取付部材４０の挟込部４０Ｂの前方側からボルト４２をボルト挿通孔４０Ｄ及びボルト挿通孔２６Ｃに挿通し、前方側支持部材２６の凹部２６Ｂに固着されたナット４４に締結することで、前方側支持部材２６を背凭れ部１２Ｂに固定する。さらに、背凭れ部１２Ｂの前方側からボルト４２を貫通孔３７及び筒状部２８Ｂのボルト挿通孔２８Ｄに挿通し、後方側支持部材２８の凹部２８Ｃに固着されたナット４４に締結することで、後方側支持部材２８の筒状部２８Ｂを背凭れ部１２Ｂに固定する。
【００４７】
このような子供用座席装置１０では、取付部材４０のフック部４０Ａを前方側支持部材２６の上端部２６Ａに係止させ、取付部材４０の挟込部４０Ｂと前方側支持部材２６との間で背凭れ部１２Ｂを挟み込んだ状態で、取付部材４０及びヘッドガードユニット２０を背凭れ部１２Ｂに締結固定する。このため、ヘッドガードユニット２０の背凭れ部１２Ｂへの取付状態を安定化させることができると共に、ヘッドガードユニット２０を背凭れ部１２Ｂに強固に固定することができる。また、ボルト４２とナット４４により締結固定するため、ヘッドガードユニット２０を背凭れ部１２Ｂに簡単に取り付けることができ、ヘッドガードユニット２０の着脱作業が容易となる。
【００４８】
また、背凭れ部１２Ｂからヘッドガードユニット２０を取り外すときは、取付部材４０を一緒に取り外すことができ、ヘッドガードユニット２０の取付部材や高さ調整装置が背凭れ部１２Ｂに残ることがない。図４、図５及び図１１等に示されるように、背凭れ部１２Ｂには左右一対の貫通孔３４と貫通孔３７が形成されているだけであるため、ヘッドガードユニット２０を取り付ける仕様と取り付けない仕様で同じ子供用座席装置本体１２を用いることができ、製造コストの上昇を抑えることができる。また、背凭れ部１２Ｂには左右一対の貫通孔３４と貫通孔３７が形成されているだけであるため、本実施形態のように貫通孔３４を背凭れ部１２Ｂの湾曲形状の外観に合わせたデザインとすることで、ヘッドガードユニット２０を取り外した後も意匠的に劣ることがなく、商品価値を高めることが可能となる。
【００４９】
したがって、子供用座席装置本体１２の取り扱い性及び意匠性が向上すると共に、同じ子供用座席装置本体１２を用いてヘッドガードユニット２０を取り付ける仕様と取り付けない仕様の２通りの販売構成を採ることができる。
【００５０】
また、ヘッドガードユニット２０を取り外した際に、背凭れ部１２Ｂの貫通孔３４の縁部に係止される係止部を備えたキャップを用いて貫通孔３４を塞ぐようにしてもよい。これによって、子供用座席装置本体１２の意匠性をさらに向上することができる。
【００５１】
なお、上記実施形態では、図１６等に示されるように、取付部材４０とヘッドガードユニット２０の前方側支持部材２６とを２部品で構成したが、これに限定されず、取付部材とヘッドガードユニットの前方側支持部材とを一体成形してもよい。これによって、前方側支持部材と一体成形された取付部材を上方から背凭れ部１２Ｂの上端部１３Ｃに差し込むことで、取付部材と前方側支持部材との間で背凭れ部１２Ｂの上端部１３Ｃを挟み込むことができ、ヘッドガードユニットの取付時の作業性がより一層向上する。
【００５２】
また、上記実施形態では、前方側支持部材２６と後方側支持部材２８とでヘッドガード２２の支持脚２２Ｃを取り囲む構成であるが、これに限定されず、ヘッドガード２２の支持脚２２Ｃを上下方向にスライド可能に支持する構成であれば他の構成でもよい。例えば、ヘッドガード２２の支持脚２２Ｃが挿通される筒状の支持部材としてもよい。
【００５３】
また、上記実施形態では、高さ調整装置２４の保持手段５０は、支持脚２２Ｃの側壁部５２の幅方向内側に形成された複数の係合凹部５４に幅方向に移動可能な移動ピン５６の凸部６０Ａを係合させる構成であるが、保持手段はこれに限定されず、ヘッドガードユニット２０と一体として背凭れ部１２Ｂから取り外し可能な構成であれば、他の構成でもよい。例えば、支持脚２２Ｃの背面に複数の係合凹部を設け、前後方向に移動可能なダイヤル部材の凸部を係合させる構成としてもよい。
【符号の説明】
【００５４】
１０   子供用座席装置
１２   子供用座席装置本体（座席本体）
１２Ｂ 背凭れ部
１３Ｃ 上端部
２０   ヘッドガードユニット
２２   ヘッドガード
２２Ｃ 支持脚（脚部）
２４   高さ調整装置
２６   前方側支持部材（支持部材）
２６Ａ 上端部（被係止部）
２８   後方側支持部材
３４   貫通孔
３７   貫通孔
４０   取付部材
４０Ａ フック部（係止部）
４０Ｂ 挟込部
４２   ボルト（固定手段）
４４   ナット（固定手段）
５０   保持手段
【図１】
2011084208.tif 000003
【図２】
2011084208.tif 000004
【図３】
2011084208.tif 000005
【図４Ａ】
2011084208.tif 000006
【図４Ｂ】
2011084208.tif 000007
【図５】
2011084208.tif 000008
【図６】
2011084208.tif 000009
【図７】
2011084208.tif 000010
【図８】
2011084208.tif 000011
【図９】
2011084208.tif 000012
【図１０Ａ】
2011084208.tif 000013
【図１０Ｂ】
2011084208.tif 000014
【図１１】
2011084208.tif 000015
【図１２】
2011084208.tif 000016
【図１３】
2011084208.tif 000017
【図１４】
2011084208.tif 000018
【図１５】
2011084208.tif 000019
【図１６】
2011084208.tif 000020
【図１７】
2011084208.tif 000021
【図１８】
2011084208.tif 000022